(57)【要約】【課題】画質の低下を抑制し、好適な画質の画像を記録することができるインクジェット記録方法を提供する。【解決手段】インクを吐出する複数の第一ノズルのノズル密度が１００ｎｐｉ以上となる第一間隔で第一方向に整列された第一ノズル列と、インクを吐出する複数の第二ノズルが前記第一間隔で前記第一方向に整列された第二ノズル列とを備え、前記第一ノズル列と前記第二ノズル列とは、前記第一間隔以上の第二間隔で、前記第一方向に直交する第二方向に隣り合った状態で設けられたインクジェットヘッドを用い、インク滴を吐出させることによって記録媒体に画像を記録するインクジェット記録方法であって、前記インクジェットヘッドの吐出面と、前記記録媒体の記録面との第三間隔に基づいて、前記第一ノズル列からのインクの吐出を制御する。【選択図】図３
2015182237.tif 000002
【特許請求の範囲】
【請求項１】
インクを吐出する複数の第一ノズルのノズル密度が１００ｎｐｉ以上となる第一間隔で第一方向に整列された第一ノズル列と、インクを吐出する複数の第二ノズルが前記第一間隔で前記第一方向に整列された第二ノズル列とを備え、前記第一ノズル列と前記第二ノズル列とは、前記第一間隔以上の第二間隔で、前記第一方向に直交する第二方向に隣り合った状態で設けられたインクジェットヘッドを用い、インク滴を吐出させることによって記録媒体に画像を記録するインクジェット記録方法であって、
前記インクジェットヘッドの吐出面と、前記記録媒体の記録面との第三間隔に基づいて、前記第一ノズル列からのインクの吐出を制御することを特徴とするインクジェット記録方法。
【請求項２】
前記第三間隔が３ｍｍ以上であることを特徴とする請求項１に記載のインクジェット記録方法。
【請求項３】
吐出される一滴のインク滴の体積が４５ピコリットル以上であることを特徴とする請求項１又は請求項２に記載のインクジェット記録方法。
【発明の詳細な説明】
【技術分野】
【０００１】
本発明は、インクジェット記録方法に関する。
【背景技術】
【０００２】
インクジェットに関する技術が提案されている。例えば、特許文献１には、インクジェット記録装置が開示されている。このインクジェット記録装置では、複数種類のインクが少なくとも２つ以上のインクグループに分類され、記録ヘッド内における、隣接するノズル列には、異なるインクグループに属するインクが交互に配置される。特許文献２には、インクジェット記録装置が開示されている。このインクジェット記録装置では、印字部のヘッドは、記録紙の送り方向と略直交する方向に記録紙の全幅に対応する長さにわたって複数のノズルが一直線上に並べられたノズル列を有する。１インチ当たり３００個（３００ｎｐｉ）以上のノズル密度でノズルが配置される。出願人は、特許文献３でインクジェット記録方法に関する技術を提案している。
【先行技術文献】
【特許文献】
【０００３】
【特許文献１】特開２０１１−４６０６１号公報
【特許文献２】特開２００５−３１３６２６号公報
【特許文献３】特開２０１２−８７５０４号公報
【発明の概要】
【発明が解決しようとする課題】
【０００４】
インクジェット記録装置は、記録媒体に画像を高品質に記録することができる。そのため、インクジェット記録装置は、家庭用途の他、産業分野においても利用されている。発明者は、インクジェットヘッドでノズル密度を高め隣り合うノズルの間隔を狭くした状態で、各ノズルから連続的にインクを吐出し画像を記録すると、吐出されたインクの着弾位置が目標位置からずれてしまい、画質が低下する場合があることを認識した。発明者は、駆動周波数を高め、インクの吐出間隔が短くなる程、画質が低下することを認識した。更に、発明者は、インクジェットヘッドでノズルが形成された吐出面と記録媒体の記録面の間隔が大きくなる程、画質が低下することを認識した。例えば、厚みにばらつきがある又は記録面に突出物がある記録媒体が対象とされる場合、吐出面と記録媒体の接触を防止するため、吐出面と記録面の間隔が大きくされる。例えば、記録媒体が毛羽立ちのある布帛である場合、吐出面と記録面の間隔は、数ｍｍ〜１０ｍｍ程度又はこれ以上に設定されることもある。
【０００５】
本発明は、画質の低下を抑制し、好適な画質の画像を記録することができるインクジェット記録方法を提供することを目的とする。
【課題を解決するための手段】
【０００６】
本発明の一側面は、インクを吐出する複数の第一ノズルのノズル密度が１００ｎｐｉ（nozzles per inch）以上となる第一間隔で第一方向に整列された第一ノズル列と、インクを吐出する複数の第二ノズルが前記第一間隔で前記第一方向に整列された第二ノズル列とを備え、前記第一ノズル列と前記第二ノズル列とは、前記第一間隔以上の第二間隔で、前記第一方向に直交する第二方向に隣り合った状態で設けられたインクジェットヘッドを用い、インク滴を吐出させることによって記録媒体に画像を記録するインクジェット記録方法であって、前記インクジェットヘッドの吐出面と、前記記録媒体の記録面との第三間隔に基づいて、前記第一ノズル列からのインクの吐出を制御するインクジェット記録方法である。
【０００７】
これによれば、吐出されたインクの着弾位置ずれを抑制することができる。これに伴い、インクを目標位置に精度よく着弾させることが可能となる。発明者は、上述したような課題について検討を行った結果、次のような考えに至った。即ち、所定の１本のノズル列を形成する各ノズルから同時又は同様のタイミングでそれぞれ吐出されたインクにより、このノズル列に対応した気流の壁が形成される場合がある。この気流の壁は、複数のノズル列のそれぞれに対応して複数形成される。更に、例えば、画像の記録時の所定の動作により、各ノズル列の気流の壁によって仕切られた領域内で渦流が発生する場合がある。吐出されたインクは、飛翔中に、このインクを吐出したノズル付近に発生した渦流の影響を受けると考えられる。気流の壁間に発生した渦流の影響は、インク滴量が少ない程受け易く、この影響を受けたインクは、異なる方向に流され、目標位置からずれた位置に着弾する。この点に関し、インクジェットヘッドの吐出面と、記録媒体の記録面との第三間隔に基づいて、第一ノズル列からのインクの吐出を制御することで、気流の壁の形成と渦流の発生を抑制することが可能となり、吐出後のインクをスムーズに飛翔させることができる。
【０００８】
このインクジェット記録方法において、第三間隔が３ｍｍ以上となる、ようにしてもよい。これによれば、記録媒体が吐出面に接することを防止しつつ、記録面に画像を記録することができる。
【０００９】
また、このインクジェット記録方法において、吐出される一滴のインク滴の体積は４５ピコリットル（ｐｌ）以上となる、ようにしてもよい。これによれば、このようなインク滴の体積であると、より好適な画像品質の画像とすることができる。インク滴の体積の上限は、記録される画像に要求される画像品質を考慮して２２０ピコリットル（ｐｌ）程度に設定される。
【発明の効果】
【００１０】
本発明によれば、画質の低下を抑制し、好適な画質の画像を記録することができるインクジェット記録方法を得ることができる。
【図面の簡単な説明】
【００１１】
【図１】インクジェット記録装置の概略構成を示す斜視図である。
【図２】インクジェットヘッドをノズルが形成された吐出面の側から視た図である。
【図３】各ノズル密度における使用ノズルのパターンを示す図である。
【図４】画質の判定基準を示す写真である。
【発明を実施するための形態】
【００１２】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１３】
＜インクジェット記録装置＞
インクジェット記録装置１０について、図１及び図２を参照して説明する。インクジェット記録装置１０では、記録媒体１４が搬送され、記録媒体１４の記録面１５に画像が記録される。インクジェット記録装置１０では、各種の記録媒体１４を対象として画像が記録される。記録媒体１４としては、例えば、布帛又は建築用資材が挙げられる。本実施形態では、記録媒体１４が長尺状の布帛である場合を例に説明する。また、画像の記録に用いられるインク色は、ブラック、マゼンタ、イエロー及びシアンの４色とする。インク色は、これら以外の色であってもよい。インク色数は、３色以下又は５色以上としてもよい。図１で搬送方向の下流側に図示された記録媒体１４の部分に付した網点模様は、記録媒体１４に記録された画像に対応する。
【００１４】
インクジェット記録装置１０は、図１に示すように、搬送部２０と、記録部３０と、移動部４０と、メインタンク５０Ｋ，５０Ｍ，５０Ｙ，５０Ｃを備える。搬送部２０は、搬送面２１に載せ置かれた記録媒体１４を、記録媒体１４の長手方向に沿って搬送する。即ち、搬送面２１を含む搬送部２０は、画像が記録される記録媒体１４を載せ置く載置面を含む載置部としての側面を有する。
【００１５】
本実施形態では、搬送部２０によって記録媒体１４が搬送される方向を「搬送方向」という。搬送方向は、記録媒体１４の長手方向に沿った方向であって、記録媒体１４の短手方向に直交する方向である。記録媒体１４の短手方向は、記録媒体１４の幅方向であって、後述するように記録部３０が移動部４０により往復移動される方向（主走査方向）に一致する。本実施形態では、搬送方向及びこれと反対方向を、記録媒体１４の長手方向に準じ「長手方向」という。なお、搬送方向及びこれと反対方向は、前述した主走査方向に対して「副走査方向」と称されることもある。搬送方向及びこれと反対方向のそれぞれに直交する方向を、記録媒体１４の短手方向に準じ「短手方向」という。
【００１６】
記録部３０は、インクジェットヘッド３１Ｋ，３１Ｍ，３１Ｙ，３１Ｃと、キャリッジ３４を備える。インクジェットヘッド３１Ｋは、ブラックインクを吐出し、ブラックインクにより画像を記録するインクジェットヘッドである。インクジェットヘッド３１Ｋには、ブラックインクを吐出するノズル３２が複数形成される（図２参照）。インクジェットヘッド３１Ｍは、マゼンタインクを吐出し、マゼンタインクにより画像を記録するインクジェットヘッドである。インクジェットヘッド３１Ｍには、マゼンタインクを吐出するノズル３２が複数形成される（図２参照）。
【００１７】
インクジェットヘッド３１Ｙは、イエローインクを吐出し、イエローインクにより画像を記録するインクジェットヘッドである。インクジェットヘッド３１Ｙには、イエローインクを吐出するノズル３２が複数形成される（図２参照）。インクジェットヘッド３１Ｃは、シアンインクを吐出し、シアンインクにより画像を記録するインクジェットヘッドである。インクジェットヘッド３１Ｃには、シアンインクを吐出するノズル３２が複数形成される（図２参照）。インクジェットヘッド３１Ｋ，３１Ｍ，３１Ｙ，３１Ｃは、同様の構成を有する。インクジェットヘッド３１Ｋ，３１Ｍ，３１Ｙ，３１Ｃは、複数のヘッドユニットを、長手方向、又は、長手方向及び短手方向に配列してそれぞれ形成するようにしてもよい。
【００１８】
インクジェットヘッド３１Ｋ，３１Ｍ，３１Ｙ，３１Ｃのそれぞれにおいて、複数のノズル３２は、複数の第一ノズル３２１と、複数の第二ノズル３２２に分類される（図２参照）。第一ノズル３２１と第二ノズル３２２は、同一直径のノズルである。インクジェットヘッド３１Ｋ，３１Ｍ，３１Ｙ，３１Ｃのそれぞれにおいて、複数の第一ノズル３２１と複数の第二ノズル３２２は、千鳥状に配置される。複数の第一ノズル３２１は、ノズル密度が１００ｎｐｉ以上となる第一間隔Ｗ１で第一方向に整列されて第一ノズル列ＬＡを形成する。複数の第二ノズル３２２は、第一間隔Ｗ１で第一方向に整列されて第二ノズル列ＬＢを形成する。記録部３０を短手方向に往復移動させて画像を記録するタイプのインクジェット記録装置１０では、「第一方向」は、長手方向となる。
【００１９】
本実施形態では、インクジェットヘッド３１Ｋ，３１Ｍ，３１Ｙ，３１Ｃのそれぞれにおいて、複数のノズル３２を、第一ノズル３２１と第二ノズル３２２に分類し、インクジェットヘッド３１Ｋ，３１Ｍ，３１Ｙ，３１Ｃのそれぞれに、２列のノズル列が形成された構成を例に説明する。インクジェットヘッド３１Ｋ，３１Ｍ，３１Ｙ，３１Ｃにそれぞれ形成されるノズル列は、複数のノズル３２を３以上に分類し、３列以上とするようにしてもよい。本実施形態において、「ノズル３２」は、第一ノズル３２１と第二ノズル３２２を区別せず、又は、これらを総称するものである。図２では、インクジェットヘッド３１Ｋ，３１Ｍ，３１Ｙ，３１Ｃのそれぞれにおいて、複数のノズル３２（第一ノズル３２１及び第二ノズル３２２）の数及び配置は、簡略化して図示されている。そして、図２では、複数の第一ノズル３２１と複数の第二ノズル３２２は、上述したような１００ｎｐｉ以上のノズル密度では図示されていない。
【００２０】
インクジェットヘッド３１Ｋ，３１Ｍ，３１Ｙ，３１Ｃのそれぞれにおいて、第一ノズル列ＬＡと第二ノズル列ＬＢは、第二間隔Ｗ２で第二方向に隣り合った状態で設けられる。複数の第一ノズル３２１と複数の第二ノズル３２２を千鳥状に配置した場合、第一ノズル列ＬＡと第二ノズル列ＬＢは、第一方向に所定量だけずれた位置関係となる。第二方向は、第一方向に直交する方向である。記録部３０を短手方向に往復移動させて画像を記録するタイプのインクジェット記録装置１０では、「第一方向」は、上述した通り、長手方向となる。従って、「第二方向」は、短手方向となる。以下、第一方向を長手方向とし、第二方向を短手方向として説明する。
【００２１】
第一間隔Ｗ１は、長手方向に隣り合うノズル３２の中心間距離であり、第二間隔Ｗ２は、短手方向に隣り合う第一ノズル列ＬＡと第二ノズル列ＬＢの中心間距離である。第一間隔Ｗ１は、ノズル密度が１００ｎｐｉである場合、０．２５４ｍｍ（第一間隔Ｗ１＝１（ｉｎｃｈ）×２５．４（ｍｍ）／１００）となる。第二間隔Ｗ２は、第一間隔Ｗ１以上の間隔である。従って、第二間隔Ｗ２は、ノズル密度が１００ｎｐｉである場合の第一間隔Ｗ１「０．２５４ｍｍ」以上の範囲に設定される。第二間隔Ｗ２は、ノズル列数の他、後述する気流の壁の影響を考慮して設定される。図２に示す状態は、「第二間隔Ｗ２＝第一間隔Ｗ１」となる状態である。
【００２２】
キャリッジ３４には、インクジェットヘッド３１Ｋ，３１Ｍ，３１Ｙ，３１Ｃが所定の位置に位置決めされた状態でそれぞれ搭載される。インクジェットヘッド３１Ｋ，３１Ｍ，３１Ｙ，３１Ｃは、図１に示すように、短手方向に隣り合った状態でキャリッジ３４に搭載される。インクジェットヘッド３１Ｋ，３１Ｍ，３１Ｙ，３１Ｃの配列順序は、図１とは異なる順序としてもよい。これらの配列順序は、諸条件を考慮して適宜決定される。
【００２３】
記録部３０は、搬送部２０の搬送面２１の上方に設けられる。このとき、インクジェットヘッド３１Ｋ，３１Ｍ，３１Ｙ，３１Ｃの各吐出面３３と記録媒体１４の記録面１５の第三間隔Ｇ３（図１参照）は、例えば、２ｍｍより広く、具体的には、３ｍｍ以上に設定される。第三間隔Ｇ３は、記録媒体１４の厚みのばらつき及び／又は記録面１５の状態（毛羽立ち等）を考慮し、適宜設定される。例えば、記録面１５に毛羽立ちがある布帛が記録媒体１４となる場合、第三間隔Ｇ３を１０ｍｍとすることもある。但し、第三間隔Ｇ３は、最大で２０ｍｍ程度とされる。吐出面３３は、ノズル３２が形成されたインクジェットヘッド３１Ｋ，３１Ｍ，３１Ｙ，３１Ｃの各面である。インクジェットヘッド３１Ｋ，３１Ｍ，３１Ｙ，３１Ｃの各吐出面３３は、同一の仮想平面（水平面）内に含まれる。搬送部２０によって搬送される記録媒体１４は、第三間隔Ｇ３を隔てて記録面１５が吐出面３３と対向した状態で、記録部３０を通過する。
【００２４】
移動部４０は、記録部３０を短手方向に往復移動させる。移動部４０は、図１に示すように、２個のプーリ４１，４２と、タイミングベルト４３を含む。２個のプーリ４１，４２は、搬送部２０を基準として、短手方向の両側にそれぞれ設けられる。例えば、プーリ４１にはモータ（不図示）が連結され、プーリ４２は、回転自在に支持される。プーリ４１は、モータの回転に伴い回転する。タイミングベルト４３は、張力が作用した状態でプーリ４１，４２に架け渡される。タイミングベルト４３には、キャリッジ３４に固定された支持部４６を介して記録部３０が取り付けられる。
【００２５】
インクジェット記録装置１０で画像の記録が行われる場合、プーリ４１に連結されたモータが時計回りと反時計回りに往復して回転する。そして、モータの回転に伴い、プーリ４１が左右両側に往復して回転する（プーリ４１の回転方向については、図１でプーリ４１の内側に示す「弧状の矢印」参照）。モータが所定の方向に回転することでプーリ４１が左回転すると、タイミングベルト４３も左回転する。プーリ４２は、左回転するタイミングベルト４３に従動して回転する。これに伴い、記録部３０は、短手方向の第二側から第一側に移動する。記録部３０が短手方向の第一側の移動端に到達すると、モータの回転方向は反転し、プーリ４１は、右回転する。プーリ４１が右回転すると、タイミングベルト４３も右回転する。プーリ４２は、右回転するタイミングベルト４３に従動して回転する。これに伴い、記録部３０は、短手方向の第一側から第二側に移動する。記録部３０が短手方向の第二側の移動端に到達すると、モータの回転方向は再度反転し、プーリ４１は、再度左回転する。移動部４０による記録部３０の短手方向への往復移動は、画像の記録が終了するまで繰り返される。
【００２６】
メインタンク５０Ｋは、ブラックインクを貯留するタンクである。ブラックインクは、メインタンク５０Ｋから流出し、供給チューブ５１Ｋを流れて、インクジェットヘッド３１Ｋに供給される。メインタンク５０Ｍは、マゼンタインクを貯留するタンクである。マゼンタインクは、メインタンク５０Ｍから流出し、供給チューブ５１Ｍを流れて、インクジェットヘッド３１Ｍに供給される。メインタンク５０Ｙは、イエローインクを貯留するタンクである。イエローインクは、メインタンク５０Ｙから流出し、供給チューブ５１Ｙを流れて、インクジェットヘッド３１Ｙに供給される。メインタンク５０Ｃは、シアンインクを貯留するタンクである。シアンインクは、メインタンク５０Ｃから流出し、供給チューブ５１Ｃを流れて、インクジェットヘッド３１Ｃに供給される。
【００２７】
図１では、供給チューブ５１Ｋ，５１Ｍ，５１Ｙ，５１Ｃの図示を簡略化している。供給チューブ５１Ｋ，５１Ｍ，５１Ｙ，５１Ｃは、記録部３０の短手方向への往復移動に対応可能な状態で設けられる。
【００２８】
インクジェット記録装置１０で、記録部３０を短手方向に往復移動させて記録媒体１４に画像が記録される場合、記録媒体１４は、搬送部２０によって搬送方向に搬送される。搬送部２０による記録媒体１４の搬送は、記録部３０の短手方向への移動に応じて間欠的に行われる。各色のインクは、記録部３０が短手方向に移動している所定のタイミングで、インクジェットヘッド３１Ｋ，３１Ｍ，３１Ｙ，３１Ｃにそれぞれ形成されたノズル３２から、記録媒体１４に向けて吐出される。インクジェットヘッド３１Ｋ，３１Ｍ，３１Ｙ，３１Ｃの各ノズル３２から吐出された各色のインクは、記録媒体１４の記録面１５に着弾する。着弾した各色のインクにより記録媒体１４の記録面１５に画像が記録される。
【００２９】
＜実施例＞
本実施形態のインクジェット記録方法の有効性を確認するため、実験を行った。以下、今回の実験方法及び実験結果について、図３〜図４及び表１〜表４を参照して説明する。
【００３０】
＜実験方法＞
今回の実験では、上記のインクジェット記録装置１０と同様、インクジェットヘッドを含む記録部を往復移動させて画像の記録を行うタイプのインクジェット記録装置を用いた。実験では、１つのインクジェットヘッドから１色のインクを吐出し、記録媒体の記録面にその１色によるベタ画像を記録した。記録媒体としては、コート紙を用いた。インクジェット記録の条件は、次の条件（１）〜（５）とした。
【００３１】
（１）吐出面と記録面の間隔（第三間隔Ｇ３）：２，３，５，１０ｍｍ
（２）インク滴量：４５，９０ｐｌ／滴
（３）インクジェットヘッドのノズル密度（第一間隔Ｗ１）：１００ｎｐｉ
（４）駆動周波数：１，２，３，５，１０，２０ｋＨｚ
（５）ノズルの直径：５０μｍ
なお、条件（３）に関し、今回の実験では、ノズル密度（第一間隔Ｗ１）が１００ｎｐｉであり、また、隣り合うノズル列の間隔（第二間隔Ｗ２）も１００ｎｐｉであるインクジェットヘッドを用いた。
後述する表中の各ノズル密度１００、５０、３３．３、２５ｎｐｉとは、同じノズル列において、実際にインクを吐出しているノズルの間隔を表している。
表中のノズル密度１００ｎｐｉとは、１本のノズル列においてすべてのノズルからインクを吐出した状態（図３（ａ）参照）のことであり、実際にインクを吐出しているノズルの間隔は０．２５４ｍｍとなり、表中のノズル密度５０ｎｐｉとは１本のノズル列において１つ置きにノズルからインクを吐出し、表中のノズル密度１００ｎｐｉに比べて使用するノズルを間引いた状態（図３（ｂ）参照）のことであり、実際にインクを吐出しているノズルの間隔は０．５０８ｍｍとなる。
表中のノズル密度３３．３ｎｐｉとは１本のノズル列において２つ置きにノズルからインクを吐出し、表中のノズル密度５０ｎｐｉに比べて使用するノズルをさらに間引いた状態（図３（ｃ）参照）のことであり、実際にインクを吐出しているノズルの間隔は０．７６２ｍｍとなる。
表中のノズル密度２５ｎｐｉとは１本のノズル列において３つ置きにノズルからインクを吐出し、表中のノズル密度３３．３ｎｐｉに比べて使用するノズルをさらに間引いた状態（図３（ｄ）参照）のことであり、実際にインクを吐出しているノズルの間隔は１．０１６ｍｍとなる。
なお、実験に用いたインクジェットヘッドには、複数のノズル列（図３では４列）が形成されており、表中のノズル密度５０、３３．３、２５の場合には、他のノズル列より同様なパターンにてノズルからインクを吐出しており、インクの吐出総量はノズル密度が１００ｎｐｉの場合と同じである。
【００３２】
そして、記録された画像の画質を、良好（判定結果：○）、やや不良（判定結果：△）及び不良（判定結果：×）の３段階に分類した。記録された画像に風紋が認められない場合、判定結果を「良好（○）」とした（図４の「画質：良好」参照）。記録された画像に風紋が僅かに認められる場合、判定結果を「やや不良（△）」とした（図４の「画質：やや不良」参照）。記録された画像に風紋が明確に認められる場合、判定結果を「不良（×）」とした（図４の「画質：不良」参照）。
【００３３】
＜実験結果１＞
吐出面と記録面との間隔（図１の「第三間隔Ｇ３」参照  上記同様「第三間隔Ｇ３」という）が２ｍｍである場合の実験結果１を表１に示す。第三間隔Ｇ３が２ｍｍである場合、ノズル密度、インク適量及び駆動周波数の各条件に関わらず、記録された画像に風紋は認められず、画質は良好であった。
【表１】
2015182237.tif 000003
【００３４】
＜実験結果２＞
第三間隔Ｇ３が３ｍｍである場合の実験結果２を表２に示す。第三間隔Ｇ３が３ｍｍである場合、１００ｎｐｉ、５０ｎｐｉ及び３３．３ｎｐｉの各ノズル密度では、風紋が確認され、画質の低下が認められた。１００ｎｐｉの場合、駆動周波数が２ｋＨｚ以上になると、画質は「不良」に低下した。このことは、インク滴量が４５ｐｌ及び９０ｐｌの何れについても同じであった。
【００３５】
５０ｎｐｉでは、インク滴量が４５ｐｌで駆動周波数が３ｋＨｚ以上になった場合、又は、インク滴量が９０ｐｌで駆動周波数が１０ｋＨｚ以上になった場合、画質は「やや不良」に低下した。３３．３ｎｐｉでは、インク滴量が４５ｐｌで駆動周波数が１０ｋＨｚ以上になると、画質は「やや不良」に低下した。
【００３６】
これに対して、ノズル密度が２５ｎｐｉではインク滴量及び駆動周波数に関わらず、記録された画像に風紋は認められず、画質は良好であった。
【表２】
2015182237.tif 000004
【００３７】
＜実験結果３＞
第三間隔Ｇ３が５ｍｍである場合の実験結果３を表３に示す。第三間隔Ｇ３が５ｍｍである場合、１００ｎｐｉ、５０ｎｐｉ及び３３．３ｎｐｉの各ノズル密度では、風紋が確認され、画質の低下が認められた。１００ｎｐｉでは、駆動周波数が２ｋＨｚ以上になると、画質は「不良」に低下した。このことは、インク滴量が４５ｐｌ及び９０ｐｌの何れについても同じであった。
【００３８】
５０ｎｐｉでは、インク滴量が４５ｐｌで駆動周波数が２ｋＨｚ以上になった場合、又は、インク滴量が９０ｐｌで駆動周波数が３ｋＨｚ以上になった場合、画質は「不良」に低下した。インク滴量が９０ｐｌで駆動周波数が２ｋＨｚの場合、画質は「やや不良」に低下した。
【００３９】
３３．３ｎｐｉでは、インク滴量が４５ｐｌで駆動周波数が３ｋＨｚ及び５ｋＨｚになると、画質は「やや不良」に低下し、１０ｋＨｚ以上になった場合、「不良」に低下した。インク滴量が９０ｐｌで駆動周波数が１０ｋＨｚ以上の場合、画質は「やや不良」に低下した。
【００４０】
これに対して、ノズル密度が２５ｎｐｉではインク滴量及び駆動周波数に関わらず、記録された画像に風紋は認められず、画質は良好であった。
【表３】
2015182237.tif 000005
【００４１】
＜実験結果４＞
第三間隔Ｇ３が１０ｍｍである場合の実験結果４を表４に示す。第三間隔Ｇ３が１０ｍｍである場合、１００ｎｐｉ、５０ｎｐｉ及び３３．３ｎｐｉの各ノズル密度では、風紋が確認され、画質の低下が認められた。１００ｎｐｉでは、駆動周波数が２ｋＨｚ以上になると、画質は「不良」に低下した。このことは、インク滴量が４５ｐｌ及び９０ｐｌの何れについても同じであった。
【００４２】
５０ｎｐｉでは、インク滴量が４５ｐｌで駆動周波数が２ｋＨｚ以上になった場合、又は、インク滴量が９０ｐｌで駆動周波数が３ｋＨｚ以上になった場合、画質は「不良」に低下した。インク滴量が９０ｐｌで駆動周波数が２ｋＨｚの場合、画質は「やや不良」に低下した。
【００４３】
３３．３ｎｐｉでは、インク滴量が４５ｐｌで駆動周波数が２ｋＨｚになると、画質は「やや不良」に低下し、３ｋＨｚ以上になった場合、「不良」に低下した。インク滴量が９０ｐｌで駆動周波数が３ｋＨｚ以上の場合、画質は「不良」に低下した。
【００４４】
これに対して、ノズル密度が２５ｎｐｉではインク滴量及び駆動周波数に関わらず、記録された画像に風紋は認められず、画質は良好であった。
【表４】
2015182237.tif 000006
【００４５】
＜考察＞
風紋は、気流の壁が原因となって生じるものと考えられる。気流の壁は、所定の１本のノズル列を形成する各ノズルから同時又は同様のタイミングでそれぞれ吐出されたインクにより、このノズル列に対応して形成される。ノズル列が複数である場合、気流の壁は、複数のノズル列のそれぞれに対応して複数形成される。更に、例えば、記録媒体の搬送及び／又は記録部の往復移動といった、画像の記録時の所定の動作により、各ノズル列の気流の壁によって仕切られた領域内で渦流が発生する。吐出されたインクは、例えば、このインクを吐出したノズル付近に発生した渦流の影響を受ける。上記の結果からも明らかな通り、風紋は、ノズル密度を高密度化し、駆動周波数を高め、第三間隔Ｇ３が広くなる程、発生し易くなる。第三間隔Ｇ３を３ｍｍ以上とした場合、条件によっては、画質の低下が認められた（表２〜表４参照）。しかし、使用するノズルの間隔を充分にとった（例えば、ノズル密度を２５ｎｐｉとした）場合、第三間隔Ｇ３を３ｍｍ以上としても、良好な画質が実現された。
【００４６】
＜変形例＞
本実施形態は、次のようにすることもできる。以下に示す変形例のうちの幾つかの構成は、適宜組み合わせて採用することもできる。以下の構成を採用したインクジェット記録装置によっても、上述した効果と同様の効果を得ることができる。以下では上記とは異なる点を説明することとし、同様の点についての説明は適宜省略する。
【００４７】
（１）上記では、インクジェット記録装置１０が、記録部３０を短手方向に往復移動させて画像を記録するタイプの記録装置である場合を例に説明した（図１参照）。インクジェット記録装置１０はライン型の記録装置とすることもできる。ライン型の記録装置では、短手方向に各色のインクを吐出するノズルが配列される。また、ライン型の記録装置では、移動部４０及び支持部４６は省略される。搬送部２０による記録媒体１４の搬送は、連続的に行われる。
【００４８】
（２）上記では、搬送部２０によって記録媒体１４を搬送方向に搬送し、搬送途中に記録部３０を通過させて、画像を記録するインクジェット記録装置１０を例に説明した（図１参照）。長手方向における、記録媒体と記録部の移動は相対的に行われればよい。例えば、記録媒体が所定の長さの短冊状であるとする。インクジェット記録装置は、テーブル状の載置部を備え、記録媒体は、このテーブル状の載置部の上面（載置面）に載せ置かれる。インクジェット記録装置は、上述した移動部４０に対応する移動部の他、記録部を長手方向に移動する別の移動部を備える。この別の移動部は、記録部の往復移動に応じて、記録部を長手方向に間欠的に移動する。別の移動部は、記録部が取り付けられた移動部４０に対応する移動部を長手方向に移動することで、記録部を長手方向に移動するようにしてもよい。
【符号の説明】
【００４９】
１０  インクジェット記録装置
１４  記録媒体
１５  記録面
２０  搬送部
２１  搬送面
３０  記録部
３１Ｋ，３１Ｍ，３１Ｙ，３１Ｃ  インクジェットヘッド
３２  ノズル
３３  吐出面
３４  キャリッジ
４０  移動部
４１，４２  プーリ
４３  タイミングベルト
４６  支持部
５０Ｋ，５０Ｍ，５０Ｙ，５０Ｃ  メインタンク
５１Ｋ，５１Ｍ，５１Ｙ，５１Ｃ  供給チューブ
３２１  第一ノズル
３２２  第二ノズル
Ｇ３  第三間隔
ＬＡ  第一ノズル列
ＬＢ  第二ノズル列
Ｗ１  第一間隔
Ｗ２  第二間隔
Ｗ４  幅
【図１】
2015182237.tif 000007
【図２】
2015182237.tif 000008
【図３】
2015182237.tif 000009
【図４】
2015182237.tif 000010